(57)【要約】      （修正有）【課題】取外し可能なデータ記憶ユニットがＵＳＢコネクタなどのインターフェイス接続を介してコンピュータシステムと通信できるようにする、外部ドッキングステーションを提供する。【解決手段】取り外し可能なデータ記憶カートリッジ９０は、外部ドッキングステーション１００に垂直に挿入される。外部ドッキングステーション１００は、たとえばカートリッジが読取／書込動作を経ている場合にデータ記憶カートリッジ９０の状態を知らせる照光取出押しボタン１０３を有する。カートリッジ開口１０４は、データ記憶カートリッジ９０が一つの向きにのみ挿入されることを可能にする。データ記憶カートリッジ９０は、ＳＡＴＡコネクタを介して外部ドッキングステーション１００に接続する。外部ドッキングステーション１００の後部は、たとえば電源コネクタ１０５、ファン取入れ口１０６、およびＵＳＢコネクタ１０８などのインターフェイスコネクタを有する。【選択図】図２
2007026643.tif 000002
【特許請求の範囲】
【請求項１】
カートリッジのためのドックであって、
カートリッジを受けるように適合されるフレームと、
第１および第２の横方向のカートリッジ取出アセンブリとを含み、各々は、
前記フレームに旋回するように取付けられ、開放位置からロッキング位置に移動可能なラッチと、
前記ラッチを前記開放位置に付勢するばねと、
前記フレームに旋回するように取付けられる取出レバーアームとを含み、前記取出レバーアームは取出前の位置から取出位置に旋回可能であって、前記取出レバーアームは、前記取出位置から前記取出前の位置への移動の間に、前記ラッチを前記ロッキング位置に動かすように配置され、前記ドックは、さらに、
前記取出レバーアームを前記取出前の位置から前記取出位置に動かすように前記取出レバーアームのそれぞれの第１の端部に動作可能に接続されるモータアセンブリを含む、ドック。
【請求項２】
インターフェイスコネクタをさらに含み、前記取出レバーアームは、前記取出前の位置から前記取出位置への移動の間に、取外し可能なカートリッジを前記コネクタから切離すように配置される、請求項１に記載のドック。
【請求項３】
前記モータアセンブリは、モータと、前記取出レバーアームの前記第１の端部に動作可能に接続される駆動軸とを含む、請求項１に記載のドック。
【請求項４】
取出ボタンをさらに含み、前記取出ボタンは、
取出スイッチに動作可能に接続されるプラスチックボタンと、
内蔵の透光性レンズと、
一体型ライトパイプとを含む、請求項１に記載のドック。
【請求項５】
前記一体型ライトパイプは前記ドックの動作を知らせる、請求項４に記載のドック。
【請求項６】
書込保護センサをさらに含み、前記書込保護センサは、
発光体光源と、
光を前記発光体から検出するセンサと、
前記発光体と前記センサとの間に位置決めされるフラグと、
前記カートリッジ上の書込保護摺動可能ドアに接触するように配置される、前記フラグ上のピンとを含む、請求項１に記載のドック。
【請求項７】
前記モータアセンブリおよび前記カートリッジ取出アセンブリは、構造フレーム上に組立てられる、請求項１に記載のドック。
【請求項８】
前記構造フレームは、
モータを支持するように配置される支持リブと、
前記取出アームを支持するように配置される取出アーム旋回ポイントと、
前記ラッチを支持するように配置されるラッチ旋回ポイントとを含む、請求項７に記載のドック。
【請求項９】
前記構造フレームは、底部ハウジングに接触するように配置される位置決め機能をさらに含む、請求項８に記載のドック。
【請求項１０】
ハウジングアセンブリをさらに含み、前記ハウジングアセンブリは、
前記フレームに取付けられる底部ハウジングと、
前記底部ハウジングに取付けられる上部ハウジングとを含む、請求項１に記載のドック。
【請求項１１】
前記カートリッジが前記ドックに挿入されるときに前記カートリッジ取出アセンブリの前記ラッチがノッチと係合して前記カートリッジを所定の位置にロックするように位置する第１および第２のノッチを含むカートリッジをさらに含む、請求項１に記載のドック。
【請求項１２】
前記ドックの上部ハウジングは、第１の軸に沿って前記カートリッジの非対称形のプロファイルに適合する非対称形の開口を含む、請求項１１に記載のドック。
【請求項１３】
前記カートリッジはＳＡＴＡベースの取外し可能なデータ記憶ユニットである、請求項１１に記載のドック。
【請求項１４】
ＳＡＴＡベースの記憶ユニットはＳＡＴＡハードディスクドライブである、請求項１１に記載のドック。
【請求項１５】
印刷回路基板アセンブリ（ＰＣＢＡ）をさらに含み、前記印刷回路基板アセンブリは、
カートリッジに動作可能に接続するように配置される噛み合いインターフェイスコネクタと、
少なくとも１つの集積回路と、
コンピュータに動作可能に接続するように配置されるホストコネクタと、
電源コネクタと、
回路チップを通り過ぎて前記カートリッジの中に空気を循環させるように配置されるファンとを含む、請求項１に記載のドック。
【請求項１６】
前記噛み合いインターフェイスコネクタはＳＡＴＡコネクタである、請求項１５に記載のドック。
【請求項１７】
前記ホストコネクタはＵＳＢコネクタである、請求項１５に記載のドック。
【請求項１８】
取出作動制御と、
前記取出作動制御に応答し、前記カートリッジの検出された動作に応答して前記モータアセンブリの作動を遅らせるように動作する論理回路とをさらに含む、請求項１に記載のドック。
【請求項１９】
取外し可能なカートリッジのためのドックにおけるフレームに取付けられた横方向のカートリッジ取出アセンブリであって、
前記フレームに旋回するように取付けられ、開放位置からロッキング位置に移動可能なラッチと、
前記ラッチを前記開放位置に付勢するばねと、
前記フレームに旋回するように取付けられる取出レバーアームとを含み、前記取出レバーアームは取出前の位置から取出位置に旋回可能であって、前記取出レバーアームは、前記取出位置から前記取出前の位置への移動の間に、前記ラッチを前記ロッキング位置に動かすように配置される、アセンブリ。
【請求項２０】
前記カートリッジの挿入は前記取出レバーアームを前記取出前の位置に押し込む、請求項１９に記載のアセンブリ。
【請求項２１】
前記取出位置から前記取出前の位置への前記取出レバーの前記移動は、前記ラッチを前
記ロッキング位置に回転させる、請求項２０に記載のアセンブリ。
【請求項２２】
前記取出レバーアームの第１の端部はモータアセンブリに動作可能に接続される、請求項１９に記載のアセンブリ。
【請求項２３】
前記モータアセンブリはモータと駆動軸とを含み、前記取出レバーアームの前記第１の端部は前記駆動軸に動作可能に接続される、請求項２２に記載のアセンブリ。
【請求項２４】
前記モータアセンブリは、前記モータアセンブリを制御するように動作可能な論理回路を含む印刷回路基板アセンブリ（ＰＣＢＡ）に接続される、請求項２２に記載のアセンブリ。
【発明の詳細な説明】
【技術分野】
【０００１】
関連出願の相互参照
この出願は、「カートリッジキャリア（Cartridge Carrier）」と題される、ジョン・Ａ・ハミング（John A. Hamming）の名義の米国特許出願連続番号第１０／９４０，１１１号、「ロック可能な取出システムおよび方法（Lockable Ejection System and Method）」と題される、パトリック・Ｈ・マコーマック（Patrick H. McCormack）およびジョン・Ａ・ハミングの名義の米国特許出願連続番号第１０／９６２，４８４号、および「取外し可能なデータ記憶システムの性能を強化するデータフロー制御およびブリッジングアーキテクチャ（Data Flow Control and Bridging Architecture Enhancing Performance of
Removable Data Storage Systems）」と題される、アンソニー・Ｅ・ピオーネ（Anthony
E. Pione）およびリチャード・Ｍ・アンドリューズ（Richard M. Andrews）の名義の米国特許出願連続番号（この出願と同時に出願される。代理人事件整理番号６５６８／５３８９４。エクスプレスメール番号ＥＲ９６９７７３０１８ＵＳ。）の共通に所有される米国特許出願を参照し、これらはすべての目的で引用によって本明細書に全文が援用される。
【０００２】
発明の分野
この発明は、ハードディスクドライブを含むデータ記憶装置に関し、より特定的には、ホストコンピューティングシステムに外付けのキャリアドックからハードディスクドライブが取外し可能であるデータ記憶装置に関する。
【背景技術】
【０００３】
発明の背景
情報の価値および使用が増大するにつれて、個人および企業は情報を処理し、格納するためのさらなる方法を求めている。この発展の１つの局面は、携帯型記憶装置における記憶容量の増加の需要が累進的に高まってきたことである。パーソナルコンピュータおよびワークステーションの出現により、デジタルデータが格納される媒体を取外すことがしばしば必要である。ユーザは、記憶媒体を異なる場所および／または異なるコンピュータシステムに携帯するためにそれを取外したいと思うだろう。さらに、格納されたコンピュータデータが機密事項を扱うものであったり、機密のものであったり、またはバックアップコピーが必要とされるときには、記憶媒体を安全な場所に移すことが望ましいであろう。
【０００４】
１つの選択肢は、取外し可能なカートリッジに入れられるハードディスクドライブを使用することである。実際、取外し可能なハードディスクドライブは、頻繁に使用される情報にアクセスするための方法として、およびバックアップまたは機密事項を扱う情報を格納するための便利な方法として人気が高まっている。取外し可能なハードディスクドライブは典型的には、埃もしくは他の汚染物質、または硬い表面への急激な落下からハードディスクドライブを保護するために、分離材料を有するより大きな外殻またはカートリッジに収容される。したがって、カートリッジ９０（図１）は、ハードディスクドライブを収容する高耐久化された容器であり得る。カートリッジは、次いで、キャリアを介してより大きなコンピュータシステムもしくはネットワークに接続されるか、またはデスクトップもしくはサーバシステムに設置される。キャリアは典型的には、キャリアに挿入されたハードディスクドライブをホストデスクトップまたはサーバシステムのマザーボードに動作可能に接続するようにインターフェイスおよび制御回路を含む。この発明は、取外し可能なハードディスクドライブが、ＵＳＢまたはＳＡＴＡコネクタなどの標準的な接続を有する如何なるコンピュータにおいてもアクセスされることを可能にする。デスクトップもし
くはサーバに設置されたキャリアもしくはドックに、元のカートリッジが再び挿入されるか、または異なるカートリッジが再び挿入されることができる。この挿入／取外しサイクルは、動作中に何度も発生し得る。
【０００５】
上述のように、ハードディスクドライブカートリッジがキャリアに挿入されるたびに、ハードディスクドライブカートリッジは複数のインターフェイスコネクタによってホストコンピュータと電気的および論理的に相互接続されなければならない。そのために、キャリアはホストコンピュータと取外し可能なハードディスクドライブとの間のインターフェイスの橋渡しをする。ハードディスクドライブは典型的には、取外し可能な媒体に向けられる機能をサポートしない、ＡＴＡプロトコルなどのデバイスインターフェイスおよびコマンドセットをサポートする。したがって、取外し可能なハードディスクシステムの実現への１つの技術的な課題は、ホストコンピュータに適切なデバイスインターフェイスを与えることである。たとえば、米国特許第６，６３３，４４５号は、キャリアがドライブ制御回路を含み、取外し可能なカートリッジがディスク媒体および読取／書込ヘッドを含む取外し可能なディスク記憶システムを開示する。キャリアはホストコンピュータとの通信のためにＡＴＡＰＩ型インターフェイスを与え、ハードドライブ制御電子機器と通信するために、ＡＴＡプロトコルインターフェイスに好適な受取られたコマンドを変換する。
【０００６】
上述の特許出願は、たとえば、ドックがコンピュータハウジング内のドライブベイに設置される高耐久化された取外し可能なディスクカートリッジのための内部ドッキングステーションを開示する。使用を容易にするため、または他の理由のために、キャリアがホストコンピューティングシステムに外付けされたドッキング機構も望ましい。図２Ａおよび図２Ｂに示されるドッキング機構などの外部ドッキング機構を使用することにより、特定の技術的な課題が実際には提示される。たとえば、ユーザが読取／書込動作の完了前にカートリッジを取外すことが可能であることによって、カートリッジに収容されるハードディスクドライブへの損傷が引き起こされる可能性がある。
【０００７】
上述のことに鑑み、ハードディスクドライブの読取／書込動作または他の動作の間にカートリッジが取外されるのを防ぐ、カートリッジベースのデータ記憶ユニットのための外部ドッキング機構に向けられる方法、装置、およびシステムの必要性が当該技術分野に存在する。さらに、カートリッジの挿入および取外しを容易にする外部ドッキング機構の必要性が当該技術分野に存在する。この発明の実施例は実質的にこの必要性を満たす。
【特許文献１】米国特許第６，６３３，４４５号明細書
【発明の開示】
【課題を解決するための手段】
【０００８】
発明の概要
この発明は、取外し可能なデータ記憶ユニットのための外部ドッキングステーションを提供し、これは取外し可能なデータ記憶ユニットがＵＳＢコネクタなどの標準的なインターフェイス接続を介してコンピュータシステムと通信できるようにする。この発明は、ロックされたモードまたは閉じたモードで、取外し可能なデータ記憶ユニットをラッチを介して所定の位置にロックするドッキングステーションを提供する。１つの実現例では、取外し可能なデータ記憶ユニットを受けるためにドッキングステーションを開放位置に維持するようにばねがラッチを付勢する。この実現例では、ドッキングステーションは、取外し可能なデータ記憶ユニットをドッキングステーションから解除し、取出すことを同時に行うモータ駆動の、ギヤを取付けられたレバーアセンブリを含む。この実現例では、ユーザが取出ボタンを押した後、ハードディスクドライブがもはや使用されなくなるまで制御論理が取外し可能なデータ記憶ユニットの取出を遅らせ、それによって、ドライブ媒体および／または読取−書込ヘッドへの起こり得る損傷を防ぐ。
【発明を実施するための最良の形態】
【０００９】
好ましい実施例の説明
この発明の実施例は、図１、図２Ａおよび図２Ｂに示される取外し可能なカートリッジシステムに関連して動作する。しかしながら、この発明は非常に多くのカートリッジベースの取外し可能な媒体システムに関連して動作することが可能である。
【００１０】
図１は、高耐久化された取外し可能なデータ記憶カートリッジ９０の１つの実施例を示す。カートリッジ９０はＳＡＴＡコネクタ９６を介してドッキングステーションに接続する。示される実施例では、カートリッジのケーシングは、取外し可能なデータ記憶カートリッジ９０がドッキングステーションに適切に挿入されることを確実にするように非対称形をしている。ケーシングは、さらに、操作ノッチ９２および９４を含む。
【００１１】
図２Ａおよび図２Ｂは、取外し可能なデータ記憶カートリッジ９０が挿入された外部ドッキングステーション１００の１つの実施例を示す。この実施例では、外部ドッキングステーション１００は、底部ハウジング１０２に加えて上部ハウジング１０１からなる。印刷回路基板アセンブリ（ＰＣＢＡ）、モータ、およびラッチング／取出機構を含む内部構成要素は内部サブフレーム１１９（図４Ａ参照）に組立てられる。
【００１２】
上部ハウジング１０１および取出押しボタン１０３は、射出成形されたプラスチックから作られることができる。底部ハウジング１０２は、ダイカストアルミニウムまたはその他の好適な材料から作られることができる。サブフレーム１１９ならびに取出レバー１２０および１４０は、強度を与え、摩擦を低減するように、充填および潤滑された材料から構成されることができる。図３に示されるように、この発明の示される実現例では、上部ハウジング１０１は、ゴムの脚１７８によって覆われる４つのねじ１７６を使用して、底部ハウジング１０２の上に嵌まる。このアセンブリによって、上部ハウジング１０１を加える前にこの機構が底部ハウジング上で検査できるようになる。
【００１３】
図面に示される実現例では、取外し可能なデータ記憶カートリッジ９０は外部ドッキングステーション１００に垂直に挿入される。外部ドッキングステーション１００は、たとえばカートリッジが読取／書込動作を経ている場合に取外し可能なデータ記憶カートリッジ９０の状態を知らせる照光取出押しボタン１０３を有する。カートリッジ開口１０４はカートリッジ９０の外側のプロファイルに対して成形されて、取外し可能なデータ記憶カートリッジ９０が一つの向きにのみ挿入されることを可能にする。取外し可能なデータ記憶ディスク９０は、ＳＡＴＡコネクタ１４２を介して外部ドッキングステーション１００に動作可能に接続する。しかしながら、他のインターフェイスおよび接続タイプがこの発明に組入れられることができる。図２Ｂが示すように、外部ドッキングステーション１００の後部は、たとえば電源コネクタ１０５、ファン取入れ口１０６、およびＵＳＢコネクタ１０８などのインターフェイスコネクタを有する。
【００１４】
図４Ａおよび図４Ｂは、外部ドッキングステーション１００のカートリッジ取出およびロッキングシステムの１つの可能な実現例を示す。外部ドッキングステーション１００がロックされた位置にあるとき、図４Ａおよび図４Ｂに示されるように、ユーザは取出ボタン１０３を押すことができる。取外し可能なデータ記憶カートリッジ９０の実際の取出は、１つの実施例では、読取／書込プロセスなどのすべてのドライブの動作が止まるまでＰＣＢＡ１１５によって遅らされ、これは取外し可能なデータ記憶カートリッジ９０を傷付ける危険性を緩和する。取出モータ１１０は取出ギヤ１１２および取出レバー駆動軸１１４を回転させるように係合する。右の取出レバー駆動軸ギヤ１１６および左の取出レバー駆動軸ギヤ１１８は特定の角度、たとえば１４〜１７度の制御された動作を可能にし、右の取出レバー１２０および左の取出レバー１４０を引き上げ、右のラッチレバー１２２および左のラッチレバー１２４を解放する。
【００１５】
取出モータ１１０の起動は一斉の動作を引起し、それによって、右の取出レバー１２０および左の取出レバー１４０が取外し可能なデータ記憶カートリッジ９０を押上げる直前に、ばねによって付勢される右のラッチ１２２および左のラッチ１２４がデータ記憶カートリッジノッチ９２および９４から外れることによって取外し可能なデータ記憶カートリッジ９０を解放し、取外し可能なデータ記憶カートリッジ９０をＳＡＴＡコネクタ１４２から切離す。ユーザは、次いで、取外し可能なデータ記憶カートリッジ９０を取外し得る。１つの実現例では、ばねは、薄いゲージ金属からなる捩りばねまたはアセンブリの構成要素に一体成形されたばねであり得る。
【００１６】
図５Ａ、図５Ｂおよび図５Ｃは、この発明の開示される実現例に従う取出レバーの動作の機構を示す。この図は右側の機構のみを示すが、１つの実現例では鏡像が左側に置かれ、同時に同一の動作を実行する。図５Ａはロックされた位置を示し、それによって、図４Ｂに見られるように、ラッチ１２２および１２４がデータ記憶カートリッジノッチ９２および９４に差込まれる。取出レバー１２０は底部面に近接して置かれる。取出モータ１１０が起動すると、取出レバーは取出レバー旋回ピン１２８を軸に時計回りに旋回し、カートリッジ取出突起１３０およびラッチ作動ピン１３２が取出レバー１２０とともに上方向に移動されるようにする。ラッチ作動ピン１３２の上方向の動きによって、ラッチ１２２がラッチカム面１３４との接触を介してラッチ旋回ピン１３６を軸に反時計回りに回転されるようにする。
【００１７】
取出突起１３０が途中まで、たとえば１ｍｍ上昇した後のラッチ１２２および取出レバー１２０の位置が図５Ｂに示される。この時点で、ラッチ１２２はデータ記憶カートリッジノッチ９２を外すのに十分に回転されている。取出モータ１１０が取出突起１３０をその最も高い位置、たとえば３ｍｍまで動かし続けるので、データ記憶カートリッジ９０は強制的に上方向に押上げられ、カートリッジを外部ドッキングステーションのインターフェイスコネクタ９６から切離し、それによって、取出プロセスを完了させる。結果として生じる開放位置が図５Ｃに示される。上述のように、ばねは開放位置でラッチレバーを付勢する。示される実現例では、カートリッジは外部ドッキングステーション１００のインターフェイスコネクタをカートリッジ９０の噛み合いインターフェイスコネクタから切離すように十分な距離を移動される。
【００１８】
ユーザがデータ記憶カートリッジ９０を挿入するとき、取出突起１３０が下に押され、取出レバー駆動軸ギヤ１１６をロックされた位置に戻すように回転させる。取出レバー１２０の下方向の動きによっても、ラッチ作動ピン１３２がラッチカム面１３４に押付けられ、ラッチ１２２をロックされた位置に回転させる。
【００１９】
図６は、底部ハウジング１０２上のアセンブリを示す。構成要素はＰＣＢＡ１１５に取付けられ、ＰＣＢＡ１１５は底部ハウジング１０２に取付けられる。ＰＣＢＡ１１５は、取出モータ１１０を動かす論理回路、ならびにカートリッジ９０における取外し可能なデータ記憶ユニットをホストコンピューティングシステムに論理的に接続するインターフェイスおよびブリッジング機能を収容する。１つの実現例では、ＰＣＢＡ１１５は、共通に所有され、同時係属中の米国特許出願連続番号（この出願と同時に出願される。代理人事件整理番号６５６８／５３８９４。エクスプレスメール番号ＥＲ９６９７７３０１８ＵＳ。）に開示されるデータフロー制御およびブリッジング機能を含む。ＰＣＢＡ１１５は、取外し可能なデータ記憶カートリッジ９０の動作状態を判断するために、タスクファイルレジスタ（カートリッジ９０におけるデータ記憶ユニットの、またはＰＣＢＡ１１５におけるタスクファイルレジスタ）にアクセスすることによってデータ記憶カートリッジの動作を監視する。ユーザが取出押しボタン１０３を押した後、ＰＣＢＡ１１５は、取外し可能なデータ記憶カートリッジ９０が取外される準備が整う、たとえばすべての読取／書込
動作を完了させるまでモータ起動を遅らせる。ＰＣＢＡ１１５は、ＵＳＢコネクタ１０８を介してホストコンピュータに動作可能に接続し、ＳＡＴＡコネクタ１４２を介して取外し可能なデータ記憶カートリッジ９０に動作可能に接続し、電源コネクタ１０５を介して電源に動作可能に接続する。
【００２０】
底部ハウジング１０２に取付けられるファン１２６は、外気を取入れ、ＳＡＴＡコネクタ１４２に並んで位置するファンスロット１７０（図３）などの開口を外気が強制的に通るようにすることによって電子機器を冷却する。ファンによって循環される空気はさらに、カートリッジ上のスロットを通って取外し可能なデータ記憶カートリッジ９０を冷却する。
【００２１】
取外し可能なデータ記憶カートリッジ９０は、ユーザが現在のデータに上書きするのを阻止する筈の書込保護状態にある可能性がある。この発明の１つの実現例は、この書込保護オプションを検出するスイッチを含む。この検出は、書込保護されたカートリッジが挿入されるときに押し下げられる書込保護検出フラグ１４６を使用することによって達成されることができる。この位置で、書込保護検出フラグ１４６は発光体１４８から光検出器１５０への光線を遮断し、発光体１４８および光検出器１５０は、１つの実現例では、書込保護検出フラグ１４６の側面に位置し、ＰＣＢＡ１１５に取付けられる。
【００２２】
１つの実現例では、構成要素は単一のサブフレーム１１９に取付けられ、構成要素が正確に位置決めされることを可能にする。フレームの１つの可能な実現例が図７Ａおよび図７Ｂに示される。図７Ａは上述の構成要素を支持するための構造的な特徴を示し、この特徴は取出モータ１１０および取出ギヤ１１２を支持するためのモータ／ギヤ支持リブ１６４、取出レバー駆動軸１１４を支持するための取出アーム旋回ポイント１６６、ならびにラッチレバー１２２および１２４を支持するためのラッチ旋回ポイント１６８を含む。ＳＡＴＡ支持バー１６０は、ＳＡＴＡコネクタ１４２の領域でＰＣＢＡ１１５の下を通る。
【００２３】
図面が示すように、フレーム１１９は、図７Ａに示されるように、２つの位置決め機能１６２を介して底部ハウジング１０２に対して位置合わせする。フレーム１１９および底部ハウジング１０２のアセンブリは、ＳＡＴＡコネクタ１４２、電源コネクタ１０５、およびＵＳＢコネクタ１０８の近くに置かれる４つのＰＣＢＡ取付けポイント１７２を介してＰＣＢＡ１１５に取付けられて、安定性を与える。
【００２４】
この発明はＵＳＢおよびＳＡＴＡコネクタを支持するように記載されてきたが、この発明はＡＴＡ、ＳＣＳＩなどの任意の好適な論理的および物理的な接続インターフェイスを利用するデータ記憶システムへの適用を有する。この発明は具体的な実施例を参照して記載されてきた。この発明の他の実施例が当業者に明らかである。したがって、特許請求の範囲は上述の実施例に限定されないことが意図される。
【図面の簡単な説明】
【００２５】
【図１】データ記憶カートリッジの実施例の図である。
【図２】取外し可能なデータ記憶カートリッジを有する外部ドックの実施例の図である。
【図３】上部および底部ハウジングのアセンブリの図である。
【図４】外部ドックのギヤおよびラッチシステムの図である。
【図５】ラッチレバーシステムの機構の図である。
【図６】外部ドックの底部ハウジングアセンブリの図である。
【図７】外部ドックのフレームの図である。
【符号の説明】
【００２６】
９０  カートリッジ
１１０  取出モータ
１１９  フレーム
１２０、１４０  取出レバー
１２２、１２４  ラッチ
【図１】
2007026643.tif 000003
【図２】
2007026643.tif 000004
【図３】
2007026643.tif 000005
【図４】
2007026643.tif 000006
【図５】
2007026643.tif 000007
【図６】
2007026643.tif 000008
【図７】
2007026643.tif 000009